(57)【特許請求の範囲】
【請求項１】
表面上にオプション配置部を具備し海底に沈設されてアンカー機能及び藻場増殖機能を有する台座と、前記オプション配置部に選択的に配設され、台座が有する機能とは別の水産関連機能を有する複数のオプション部材とから構成されるものであり、前記オプション部材は、磯根資源に住処を供給し得る磯根資源増殖部材、餌料生物を増殖させることで魚類を増殖させ得る餌料培養部材、及び平面的な陰を魚類に与えて蝟集させ得る魚礁部材からなり、前記磯根資源増殖部材、前記餌料培養部材、魚礁部材を、前記オプション配置部に高さ位置を異ならせて配置し得るように構成していることを特徴とする多機能型増殖礁。
【請求項２】
前記オプション配置部に、前記オプション部材を保持し得る保持部を異なる高さ位置に複数設けたオプション保持部材を設置している請求項１記載の多機能型増殖礁。
【請求項３】
前記オプション配置部において、下から順に前記磯根資源増殖部材、前記餌料培養部材、前記魚礁部材を配置し得るように構成するとともに、上側のオプション部材が、下側のオプション部材を覆う位置に配置されるようにしている請求項１又は２記載の多機能型増殖礁。
【請求項４】
前記台座の一部を前記オプション配置部に配設したオプション部材よりも外側に延出させて張出部を形成し、この張出部に藻類を増殖し得る藻場増殖機能を付与している請求項１、２又は３記載の多機能型増殖礁。
【請求項５】
前記台座が、表面に前記オプション配置部を形成した台座本体と、藻類を着床させて育成するための育成部材を着脱可能に取り付け得る育成部材取付部とを具備している請求項４記載の多機能型増殖礁。
【請求項６】
前記育成部材取付部に取り付けられる育成部材の一部又は全部が、海底で生育可能となるまで予め海中で育成した中間育成藻を着床させたものである請求項５記載の多機能型増殖礁。
【請求項７】
前記磯根資源増殖部材に、磯根資源が通り得る通路を形成している請求項１、２、３、４、５又は６記載の多機能型増殖礁。
【請求項８】
前記通路が、放射状をなす第１のスリットと、輪状をなす第２のスリットとを組み合わせて形成したものである請求項７記載の多機能型増殖礁。
【発明の詳細な説明】
【０００１】
【発明の属する技術分野】
本発明は、藻場増殖機能、磯根資源増殖機能、魚礁機能、魚類や餌料生物を増殖させる餌料培養魚礁機能等の種々の水産関連機能を自由に組み合わせて発揮させることができる多機能型増殖礁に関するものである。
【０００２】
【従来の技術】
従来より、魚礁は一般に魚類の蝟集効果を高める機能を有するものであり、藻場増殖礁は藻場の増殖を目的として藻類の新たな着床基質を供給するものであった。そして、これらはそれぞれ独立した性格を持ち、コンクリート製品や鋼製製品等として提供される単体の「魚礁」や「藻場増殖礁」として実施されている。
【０００３】
【発明が解決しようとする課題】
ところで、「魚礁」については、魚類の蝟集効果を向上することは十分確認されているが、魚類の数そのものを増加させる増殖効果については明確な評価がなされていないのが現状である。魚類の数を増やすには、魚類の産卵場所や幼稚魚の生育場所（隠れ家や餌料提供場所）を創出することが重要であるが、そのためには藻類（海藻類）が群生する「藻場」の存在が重要になってくる。しかしながら、海水温の上昇など様々な自然環境の変化により、次第に藻場が減少する、いわゆる磯焼け現象が近年拡大しつつあり、各地の海域において藻場の消失が認められており、大きな問題となっている。
【０００４】
さらに、このような藻場の減少に伴って、海藻類を餌としているアワビ、サザエ、ウニ等の有用な磯根資源の水揚げ量も激減してきており、水産業に大きな打撃を与えている。例えばアワビについては、アワビの生息場所として窪みを成型したコンクリート製増殖礁、いわゆるアワビ礁等が実施されてはいるが、そもそも餌となる海藻が減少している現状にあっては、アワビ礁にアワビの蝟集効果はあっても、増殖効果は殆ど期待することができない。
【０００５】
また、元来、藻場を形成している天然の岩礁帯は、魚類の産卵場所や幼稚魚の生育場所として機能しており、魚類の増殖場所として極めて重要なものであるだけでなく、磯根資源を豊かにして、イセエビ等の多くの水産資源の宝庫となっている。そこで、これまで様々な形状を有する「藻場増殖礁」が開発・実施されてはいるが、その「礁」に海藻が着床し「藻場」となるまでには数年の年月がかかっている。長期間を要しても「藻場」が形成されればよいが、自然環境下では確実に藻場が形成されるとは限られず、経験上、確率的には海藻が全く着床しない場合が多い。そのため、従来の藻場増殖礁による藻場の増殖が容易には実現できず、ひいては磯根資源の増殖、魚類の蝟集、魚類の増殖を効率的に行うことが、現状では極めて困難である。
【０００６】
このような問題に対して、海底で効率よく増殖できる程度まで予め生育させた、いわゆる中間育成藻を着床させた部材を有する藻場増殖礁を海底に投入することで、藻場形成の効率を飛躍的に向上させる方法が、最近になって提案されている。
【０００７】
そこで本発明は、このような中間育成藻付きの藻場増殖礁の有用性も考慮に入れ、藻場増殖機能、磯根資源増殖機能、魚礁機能、餌料培養魚礁機能等の様々な水産関連機能を必要に応じて選択的に組み合わせることができ、あるいはこれらの機能を全て併せ持った、これまでにない新規な多機能型増殖礁を提供することを目的としている。
【０００８】
【課題を解決するための手段】
すなわち、本発明の多機能型増殖礁は、表面上にオプション配置部を具備し海底に沈設されてアンカー機能及び藻場増殖機能を有する台座と、前記オプション配置部に選択的に配設され、台座が有する機能とは別の水産関連機能を有する複数のオプション部材とから構成されるものであり、前記オプション部材は、磯根資源に住処を供給し得る磯根資源増殖部材、餌料生物を増殖させることで魚類を増殖させ得る餌料培養部材、及び平面的な陰を魚類に与えて蝟集させ得る魚礁部材からなり、前記磯根資源増殖部材、前記餌料培養部材、魚礁部材を、前記オプション配置部に高さ位置を異ならせて配置し得るように構成していることを特徴とするものである。
【０００９】
このような構成のものであれば、台座のオプション配置部にそれぞれ機能の異なるオプション部材を配置することで、異なる水産関連機能を同時に有する従来にない多機能型増殖礁を構成することができる。特に、各オプション部材はオプション配置部に選択的に配置することができるため、配置すべきオプション部材の組み合わせによっては目的に応じた機能に加え、各機能がもたらす相乗効果を発揮させることができるようになる。さらに、水産業の目的に応じたオプション部材を台座に対して異なる高さ位置に配置し得るようにすると、それらオプション部材は藻場増殖機能を有する台座の部位の内側に配置された状態となるので、オプション部材の周囲や内部に住み着く磯根資源や幼魚等の隠れ場所としての良好な環境を形成することができるだけでなく、藻場に餌場や隠れ場所を求める魚介類を集めたりそこで魚介類を増殖させたりするなどの目的別の機能を多機能型増殖礁に付与することができる。また、近年激減しつつある藻場の回復にも寄与することができる。
【００１０】
また、各オプション部材を異なる高さ位置に容易に配置するには、オプション配置部に、前記オプション部材を保持し得る保持部を異なる高さ位置に複数設けたオプション保持部材を設置することが望ましい。
【００１１】
特に、多機能型増殖礁において、台座に対して下段側から順番に、磯根資源増殖部材、餌料培養部材、魚礁部材を積み上げた格好とすることで、この多機能型増殖礁を、藻場増殖機能、磯根資源増殖機能、餌料培養魚礁機能、魚礁機能の全ての機能を併せ持つものとすることができる。
【００１２】
特に、前記台座の一部を前記オプション配置部に配設したオプション部材よりも外側に延出させて張出部を形成し、少なくとも前記張出部に藻類を増殖し得る藻場増殖機能を付与した構成とすることで、海底において、基本的には台座を利用して藻類を増殖させて、幼稚魚の生育場所とするとともに、アワビやサザエ等の磯根資源の餌となる藻類を供給し得る藻場を形成する藻場増殖機能を発揮できる。なお、本発明の多機能型増殖礁では、藻場増殖のみを目的とする場合には、オプション部材を台座に配置せずに、台座を単独で用いることも可能なものである。
【００１３】
具体的に、有用な藻場増殖機能を付与するためには、台座を、海底に安定設置するためのアンカー機能を有し表面に前記オプション配置部を形成した台座本体と、藻類を着床させて育成するための育成部材を着脱可能に取り付け得る育成部材取付部とを具備するものとすることが望ましい。このような台座を用いて、より効率的な藻場増殖を実現するには、育成部材取付部に取り付けられる育成部材の一部又は全部を、海底で生育可能となるまで予め育成した中間育成藻を着床させたものとすればよい。すなわち、台座本体に取り付けられる育成部材の一部のみを中間育成藻が着床したものとすれば、その藻類が海底で増殖して胞子や遊走子を放出できるようになると、その周囲に藻類を着床させていない育成部材があっても放出された胞子等が付着することで、海底において新たに藻類を育成することができる。なお、既存の藻場の近傍など、育成部材や台座に藻類の着床が確実に期待できるような海域では、中間育成藻を着床させた育成部材は、必ずしも使用する必要はない。
【００１４】
特に磯根資源増殖部材については、イセエビ、ウニ、アワビ、サザエ等に代表される磯根資源が住処として利用でき、外敵から身を守ってこの多機能型増殖礁で棲息させ続けることが望ましいことから、これら磯根資源が自由に通り得る通路を形成することが好ましい。このような磯根資源増殖部材のみを台座本体のオプション配置部に配置すれば、多機能型増殖礁が藻場増殖機能と磯根資源増殖機能とを有するようにすることができる。なお、他のオプション部材も磯根資源増殖部材と共に台座本体に配置することができるのは勿論である。
【００１５】
さらに、イセエビやアワビ等の磯根資源は、複雑な構造の場所を好んで入り込む習性を有していることから、前記通路を、放射状をなす第１のスリットと、輪状をなす第２のスリットとを組み合わせて形成した複雑な構造を有するものとすることが望ましい。さらに、このような磯根資源増殖部材を台座とは別体をなす部材とすることで、複雑な構造の磯根資源増殖部材を簡単に製造できるようになる。
【００１６】
このような通路に棲息する磯根資源の隠れ場所を、本多機能型増殖礁の基本的な構成である台座の機能を利用して形成するには、オプション配置部に磯根資源増殖部材を載置し、該磯根資源増殖部材の通路の出入口となる部位よりも前方における台座本体に、前記育成部材取付部を形成することが好ましい。このようにすることで、通路の出入口は、育成部材に生えた藻類によって隠されることになるため、イセエビやアワビ等の住処としては極めて好都合である。
【００１７】
特に、多機能型増殖礁に、台座による藻場増殖機能と上述のような磯根資源増殖部材による磯根資源増殖機能加えて、平面的な陰を好む傾向にある魚類を蝟集させる魚礁機能も付与し得るようにするには、魚礁部材を板状をなす部材として、前記オプション配置部に載置した磯根資源増殖部材を上方から覆う位置に配置すればよい。
【００１８】
また、餌料培養部材については、魚類の餌となる餌料生物の培養機能が求められる。そのためには、魚類が餌とする匍匐性の甲殻類や多毛類を多く付着させる必要があり、コンクリート素材に貝殻等の海産物を混入した餌料生物培養ブロックを具備するものとすることが望ましい。貝殻等を破砕・粉砕したものをコンクリート素材に混ぜておけば餌料生物培養ブロックの比表面積を大きくでき、匍匐性の甲殻類や多毛類を多量に付着させることができる。また、漁業地域では、収穫したカキ等の貝殻に代表される海産物の廃棄物の処分に困っていることが大きな問題になっているが、そのような貝殻等を餌料生物培養ブロックに利用することで、これまで産業廃棄物とされてきた貝殻等の有効利用を行って、漁業地域の問題解決の一助とすることもできるようになる。そして、このような餌料培養部材のみをオプション配置部に配置することで、多機能型増殖礁に藻場増殖機能と魚類増殖機能とを付与することができるが、他のオプション部材を併用することも可能である。
【００１９】
このような餌料生物培養ブロックは、特に高強度を有するものとする必要がなく、餌料生物を培養・拡散するために絶えず新たな基質を餌料生物に与えるには却って同ブロックを脆いものとした方が好都合である。そのためには、餌料生物培養ブロックを、その表面が逐次剥離する程度の強度にしておくと有効である。
【００２０】
このような餌料培養部材を用いて、多機能型増殖礁の構築における作業効率を落とすことなく、魚類に対する高い増殖機能を得るためには、餌料培養部材を、隣接する餌料生物培養ブロック間に隙間を形成した状態で、餌料生物培養ブロックを通水性を有する籠状体に収容したものとすることが好ましい。
【００２１】
上述のような餌料培養部材では、イセエビ等の磯根資源の前身（プランクトン）も増殖させることができる。
【００２２】
台座による藻場増殖機能、餌料培養部材による餌料生物及び魚類の増殖機能に加えて、多機能型増殖礁に魚礁機能を付与するためには、魚礁部材を板状をなす部材として、魚礁部材を、前記餌料培養部材を上方から覆う位置に配置することが好ましい。
【００２３】
磯根資源を餌料培養部材において培養・増殖させ、成長した後もこの多機能型増殖礁で棲息できるようにするには、オプション配置部に磯根資源増殖部材を載置するとともに、該磯根資源増殖部材の上方位置に餌料培養部材を配置することが有効となる。さらに加えて、多機能型増殖礁に魚礁機能も付与して、藻場増殖をはじめとする総合的な機能を有する増殖礁を実現するには、餌料培養部材よりも上方位置に、魚礁部材を配置することが好ましい。
【００２４】
魚類増殖礁の配置を容易に行うためには、オプション配置部に、第１の保持部を具備するオプション保持部材を載置し、前記第１の保持部に餌料培養部材を保持させることが好ましく、同様に、魚礁部材の配置も容易なものとするには、オプション配置部に、第２の保持部を具備するオプション保持部材を載置し、前記第２の保持部に魚礁部材を保持させることが好ましい。オプション保持部材には、第１及び第２の保持部の両方を設けると、より効率的である。
【００２５】
また、台座による藻場増殖機能に加えて、多機能型増殖礁に魚礁機能のみを付与するためには、板状をなす魚礁部材を、前記台座本体を上方から覆う位置に配置すればよい。
【００２６】
さらにまた、魚礁部材にも、育成部材を着脱可能に取り付け得る育成部材取付部を形成することで、多機能型増殖礁により大きな藻場増殖機能を付与することができる。
【００２７】
さらに、台座単独でも、魚礁機能を発揮できるようにするためには、台座本体に、海底に接地し得る脚部を設け、海底と台座本体との間に所定の空間を形成することが好ましい。台座にこのような脚部があれば、海底との間の空間によって魚類に隠れ場所を提供することができる上に、海底が砂地でも台座が埋まってしまうことなく安定的に沈設しておくことができる。
【００２８】
【発明の実施の形態】
以下、本発明の一実施形態を、図面を参照して説明する。
【００２９】
図１は、本実施形態における多機能型増殖礁Ａの全部材を分解した状態を示している。この多機能型増殖礁Ａは、台座１と、台座１に取り付けられる育成部材２とを基本部材とし、台座１に配置されるオプション部材として、磯根資源培養部材３、餌料培養部材４、及び魚礁部材５を備えている。餌料培養部材４及び魚礁部材５は、台座１に載置されるオプション保持部材６に保持させた状態で台座１に配置される。これら各オプション部材は、必要に応じて自由に組み合わせることにより台座１と共に使用されるものである。
【００３０】
まず、台座１は、平面視略六角形の平板状をなすコンクリート製の台座本体１１を主体としてなるもので、台座本体１１の裏面側に該台座本体１１と一体成形された複数の脚部１２を設けている。この台座本体１１は、重量物であり、海底において安定設置するためのアンカーとしての機能を有している。台座本体１１の略水平な六角形状の上面における中央部は、オプション部材を配置するためのオプション配置部１３として設定しており、さらにオプション配置部１３の外側３カ所に台形状をなして外方に向けて前傾させた張出部１４を形成している。この張出部１４には、それぞれ前後３列に複数本のボルト１５（図４参照）を埋め込んでその先端を突出させており、張出部１４を育成部材２を取り付けるための育成部材取付部として利用し得るようにしている。また、各張出部１４には、鋼製のフック１６を埋め込んでおり、このフック１６にワイヤー等を引っ掛けて台座１を運搬・沈設・引き揚げ等の作業を行うようにしている。
【００３１】
育成部材２は、一辺２０ｃｍ程度の平面視略正方形状をなし２ｃｍ程度の厚みを有する板状のコンクリート製の部材であり、その重量は約１．５Ｋｇ程度である。しかして、図２に示すように、表面の略中央部に厚み方向に貫通する貫通孔２１を形成するとともに、その表面に凹凸部２２を形成している。さらに、この育成部材２を用いて藻類の中間育成を行う際にロープを添接させて取り付けた状態で海中に吊すことができるようにするために、表面の対向する辺同士に亘って前記貫通孔２１の開口部分を通過するように略十文字状をなす添接路２３を形成している。そして、この添接路２３を前記凹凸部２２を避けて形成するために、凹凸部２２を表面の中央部よりも四隅寄りに形成している。また、この育成部材２の裏面は平坦に形成してある。
【００３２】
磯根資源培養部材３は、前記台座本体１１のオプション配置部１３よりも一回り小さい平面視形状を有する板状のコンクリート製部材であって、上面側に放射状をなして窪ませた第１のスリット３１１及びその第１のスリット３１１と交差するように輪状をなして窪ませた第２のスリット３１２から構成される通路３１を形成している。通路３１の出入口は、第２のスリット３１２の端部によって外方に開放されている。
【００３３】
説明の順番は前後するが、先にオプション保持部材６は、台座本体１１の六角形状をなすオプション配置部１３の隅部に立設される２本３対の鋼製支柱６１と、隣接する支柱６１同士を連結するように上端部、下端部及び中間高さ位置に配置され支柱６１に溶接やボルト締めされた鋼製横架材６２とから構成される枠体状をなすものである。支柱６１の下端部に取り付けられた横架材６２は、前記オプション配置部１３に安定設置するためのベースとして機能している。また、支柱６１の中間高さ位置に取り付けられた横架材６２は、後述する餌料培養部材４を保持するための第１の保持部６３として機能させるようにしており、支柱６１の上端部における横架材６２は、魚礁部材５を保持するための第２の保持部６４として機能させるようにしている。
【００３４】
餌料培養部材４は、魚類の餌となる餌料生物を好適に培養し得る餌料生物培養ブロック４１と、多数の餌料生物培養ブロック４１を収容する籠状体４２とから構成される。餌料生物培養ブロック４１は、貝殻等の海産物の粉砕物を混入した円錐台形状をなすコンクリート製の部材である。この餌料生物培養ブロック４１の製造に際しては、廃棄物として処理されてきたカキ殻等の貝殻等を洗浄した後適当な大きさに粉砕したものを、型枠として使用済みの碗や紙コップ、弁当の空き箱等の入手が容易な容器にモルタルやセメント等のコンクリート素材と共に流し込み、硬化させるという簡単な方法で製造することができるものである。あるいは粉砕した貝殻等とコンクリート素材を手で団子を作るようにしても製造することができる。本実施形態においては、餌料生物培養ブロック４１の製造用型枠として、紙コップを使用している。なお、餌料生物培養ブロック４１としては、天然石等を使用することもできるが、貝殻等を粗く混入したコンクリート素材の方が比表面積に勝るため、上述の構造のものを餌料生物培養ブロック４１とすることが好ましい。しかして、コンクリート素材の硬化後の餌料生物培養ブロック４１の強度は、海中においてその表面が逐次剥離する程度に弱く脆いものである。一方、籠状体４２は、前記オプション保持部材６の第１の保持部６３を構成する横架材６２に載置するべく縦断面視コ字形の鉄骨を平面視六角形状に形成した枠体４２１と、鉄筋や金属網等を組んで餌料生物培養ブロック４１が脱落しないように枠体４２１を上下に挟む位置に配置される上下一対の網状部４２２とから構成される。なお、図示しないが、本実施形態では籠状体として六面に網を張った立方体状をなす部材も補助的に使用し得るようにしている。この籠状体も、多数の餌料生物培養ブロック４１を収容し得るものである。しかして、これら籠状体４２等に収容された餌料生物培養ブロック４１同士の間には、多数の隙間が形成されている。
【００３５】
魚礁部材５は、平面視六角形状をなす扁平なコンクリート板を主体としてなり、前記オプション保持部材６の第２の保持部６４を構成する横架材６２に載置されるものである。そしてその上面には、前記台座本体１１の張出部１４と同様に多数のボルト５１やフック５２を埋め込んでおり、そのボルト５１は育成部材２を着脱可能に取り付けられるようにした育成部材取付部を形成するものとしている。
【００３６】
次に、本実施形態の多機能型増殖礁Ａの利用例を説明する。
【００３７】
まず、多機能型増殖礁Ａを海底に沈設する前に、育成部材２には海底でも十分生育できるようになるまで育成した中間育成藻を着床させておく。そのために、藻類の中間育成として、育成部材２に予め藻類の胞子を付着させた図示しない種糸（いわゆるクレモナ糸）を巻き付けた状態で、育成部材２を図３に示すように海中に吊り下げる。この種糸の作成に当たっては、海底に自生している藻類を採取してきて所定の水槽内に前記種糸と共に入れ、その水槽内で種糸に藻類から放出された胞子を付着させ、しかる後、種糸を水槽から引上げて、所定の長さに切断した上で育成部材２に固定するようにしている。また、このような育成部材２を海中に吊り下げるに際しては、海面に浮かべた筏７に取り付けたロープ８を介して育成部材１を水深約５ｍ以内の海中に吊り下げる。このロープ８は、多数の細い糸を束ねて撚り合わせることによって形成した太い２本のロープ要素８１を更に互いに撚り合わせて直径１〜２ｃｍの太さにした、いわゆる漁業用ロープである。このロープ８を用いて育成部材２を吊り下げるには、ロープ要素８１同士の撚り合せを部分的に解いておき、一対の育成部材２を相互に裏面同士を合わせた状態で長手方向を水深方向と略直交させた姿勢にして、先に解いておいたロープ要素８１同士の間に挟み込み、それらロープ要素８１をそれぞれ前記添接路２３に添接させる。すると、解かれたロープ要素８１同士は元の捻られた状態に戻ろうとするため、その力によってロープ要素８１間に育成部材２を強く挟み込むことになる。その上で更に育成部材１の脱落防止を図るために、育成部材２の貫通孔２１に挿通した結束バンド（図示省略）によって両ロープ要素８１を拘束する。この結束バンドは、一端に孔部を有し、他端をその孔部に挿入・係合することにより他の部材を拘束できるようにした樹脂製の市販のものである。このようにして一本のロープ８に高さを違えて複数の育成部材２を取り付けて、ロープ８の下端部においてはロープ要素８１同士を固く結んで瘤を作っている。本実施形態では上述のように複数の育成部材２を多数用意して、合計２０００個程度の育成部材２を筏７から吊り下げられるようにしている。そして、種糸から生育した藻類は、やがて根を伸ばして育成部材２の表面における凹凸部２２に乗り移り、しっかりと着床するようになる。なお、藻類が自生している海域又はその近傍に設定し、海流に乗って流れてくる胞子が育成部材２に自然に付着することが期待できる場合は、育成部材２に種糸を取り付ける必要はない。
【００３８】
このように、海中に育成部材２を吊り下げて藻類の中間育成を行うことには、次のようなメリットがある。すなわち、藻類を陸上で初期及び中間育成する場合には、広大な敷地に大型で深い水槽を設置して藻類を育成し、その水槽の水を清浄に保つために水の循環や取り替え等の作業を必要とするため、多大な費用が必要となるのに対して、本実施形態のような方法によれば、自然な環境で藻類を育成することができるのみならず、筏７等に育成部材２を吊すことによって常に清浄な海水が供給され、同時に多量の育成部材２を吊すことができ、極めて適切で安価な藻類の育成が可能である。さらに筏７等に育成部材２を保持させて海中に設置することで、藻類に十分な日照量を受けさせることができ、幼芽の成長を促進し、海中で中間育成するため、海底に棲息する植食生物等の食害動物からの食害を防止できるため、確実な中間育成ができる。また、海水温に対応して育成部材２を吊り下げる深さも容易に変更することが可能である。さらに、上述した大きさまで藻類を成育させた育成部材を海底に移設して藻場を形成しても、藻類は食害動物に容易には食べられない程度の硬さや独特の渋味成分等を分泌して自己防衛機能を発揮することができるので、幼芽の状態で海底に移設する場合と比較して、確実に藻場を形成することができる。
【００３９】
さて、本題に戻って、以上のようにして中間育成藻Ｂを着床させた育成部材２を使用して多機能型増殖礁Ａを形成するには、その奏し得る機能を目的に応じて有効に発揮できるように、オプション部材を選択して行う。
【００４０】
まず、最も単純に「藻場増殖」のみを目的とする場合は、図４に示すように、台座１と育成部材２のみを多機能型増殖礁Ａとして使用する。すなわち、中間育成藻Ｂを活着させた育成部材２の貫通孔に２１、台座本体１１の育成部材取付部たる張出部１４のボルト１５を挿入し、そのボルト１５を錆や腐食、貝類等の付着から保護するようにボルト１５の先端部を略完全に隠蔽する樹脂製蝶型ナット１７を螺合させることによって、育成部材２を台座１に取り付ける。すなわち、前記貫通孔２１は、海藻の中間育成時における吊り下げの際の育成部材２の拘束のためと、藻場造成時の台座１への取り付けのための両方に共用し得るようにしたものである。育成部材２に着床させる海藻としては、多年生のアラメやカジメ等が適しているが、海藻の種類は目的に応じて種々変更が可能である。その際、図示例では前記張出部１４に前後３列に並ぶボルト１５のうち、中央の列のボルト１５には中間育成藻Ｂを活着させた育成部材２を取り付け、後の２列のボルト１５には中間育成藻Ｂを着床させていない育成部材２を取り付けるようにしている。これは、中央の列に配置された育成部材２の中間育成藻類Ｂが海底で生育して胞子を放出し得るようになると、その胞子が中間育成藻Ｂを付けていない育成部材２の凹凸部２２に付着して、そこから新たに海藻が育成することが期待できるからである。尤も、当初から全てのボルト１５に中間育成藻Ｂ付きの育成部材２を取り付けるようにしても構わないし、既存の藻場の近傍に多機能型増殖礁Ａを沈設して、その藻場の藻類から放出される胞子が多機能型増殖礁Ａにも付着することが十分期待できる場合には、全ての育成部材２に中間育成藻Ｂを着床させないで台座１に取り付けるようにすることもできる。
【００４１】
このような多機能型増殖礁Ａを海底に沈設することで、台座１及び育成部材２による藻場増殖機能が発揮され、育成部材２上で藻類を増殖させてアワビやサザエ等に餌となる海藻を供給するとともに、幼稚魚の良好な生育場所を形成することが可能である。また、本実施形態における台座１は、脚部１２を有するものであるため、その脚部１２を海底に接地させて安定性を向上することができるだけでなく、脚部１２の存在によって海底と台座本体１１との間には空間Ｓが形成されるので、その空間Ｓを平面的な陰を好む傾向にある魚の隠れ場所とすることもでき、魚類を蝟集させる魚礁機能も発揮させることができる。
【００４２】
また、上述のような基本的機能に加えて、多機能型増殖礁Ａの魚類の蝟集効果をより向上させたい場合は、図５に示すように、台座１のオプション配置部１３にオプション保持部材６を載置し、その第２の保持部６４に魚礁部材５を載置したものを多機能型増殖礁Ａとして海底に沈設する。なお、魚礁部材５はオプション保持部材６の第１の保持部６３に載置するようにしてもよい。また、魚礁部材５をオプション保持部材６にボルト締めなどで固定してもよいし、オプション保持部材６も台座本体１１に載置するだけでなくボルト締めなどで固定してもよい。しかして、上述したように、魚は平面的な陰を好む習性があるため、平坦な魚礁部材５の裏面は魚にとって格好の隠れ場所となる。また、育成部材２上で海藻が十分大きく生育して藻場が形成されると、台座１の表面と魚礁部材５の裏面との空間は藻場によって隠されることになるため、魚類の蝟集効果がより一層高まることになる。さらに、魚礁部材５の上面には、多数のボルト５１からなる育成部材取付部を形成しているため、このボルト５１を育成部材２の貫通孔２１に挿入して育成部材２を取り付けることにより、魚礁部材５にも藻場増殖機能を発揮させることができるので、藻場を好適に拡大することも可能である。
【００４３】
次に、多機能型増殖礁Ａに藻場増殖機能と磯根資源増殖機能とを発揮させるためには、台座１のオプション配置部１３に磯根資源増殖部材３を載置して使用する。なお、磯根資源増殖部材３に棲息するようになった磯根資源の隠れ場所を形成するとともに魚礁機能も付加するには、図６に示すように、オプション配置部１３の第２の保持部６４（第１の保持部６３でもよい）に魚礁部材５を載置するとよい。
【００４４】
例えば磯根資源としてアワビを対象にして、この多機能型増殖礁Ａをアワビ礁として利用する場合、台座１に取り付けた育成部材２上の海藻（アラメやカジメ）を餌としてアワビに供給できるだけでなく、磯根資源増殖部材３に形成されたスリット３１１、３１２からなる複雑な通路３１はアワビにとって隠れやすい格好の住処となるため、アワビを蝟集・増殖させることができる。また、通路３１の出入口は育成部材２上の海藻によって隠され、通路３１の上方は魚礁部材５によって隠されることになるため、通路３１内で棲息するアワビは外敵から身を守りやすくなる。勿論、魚礁部材５と磯根資源増殖部材３との間の空間や、台座本体１１の裏面と海底との間の空間Ｓには、魚類の蝟集効果があるが、特に前記空間Ｓのような薄暗く平面的な所を好むアワビの住処として利用することも可能である。また、本実施形態の磯根資源増殖部材３においては、通路３１を放射状をなす第１のスリット３１１と輪状をなす第２のスリット３１２とを組み合わせた形状のものとしているが、このような磯根資源増殖部材３は台座１とは別体をなすものであるため、目的とする磯根資源の種類に応じた形状の通路を形成するのも容易であり、本実施形態の通路３１よりも更に複雑なあるいは簡素な形状の通路を形成することもできる。
【００４５】
次に、多機能型増殖礁Ａに、藻場増殖機能に加えて餌料生物及び魚類を増殖させる餌料培養魚礁機能を発揮させるためには、台座１のオプション配置部１３にオプション保持部材６を載置するとともに、そのオプション保持部材６の第１の保持部６３に餌料培養部材４を載置する。なお、図７に示す多機能型増殖礁Ａでは、餌料培養部材４で生育する生物に隠れ場所を提供するとともに、魚礁機能をより向上させるために、上述の構成に加えてオプション保持部材６の第２の保持部６４に魚礁部材５を載置したものである。なお、この多機能型増殖礁Ａでは、餌料生物培養ブロック４１を収容した立方体状をなす籠状体（図示省略）を、籠状体４２の上に数個載置するようにしている。
【００４６】
このような多機能型増殖礁Ａにおいて、例えば稚エビや稚魚を増殖させる場合、餌料培養部材４における籠状体４２内の餌料生物培養ブロック４１同士の間の小さな隙間には、稚エビ等の餌料となる甲殻類や微小巻貝等が豊富に棲息するため、稚エビ等を餌が豊富にある環境下で順調に生育させることができる。また、餌料生物培養ブロック４１の表面は逐次剥離するので、餌料生物に常に新鮮な基質（カルシウム成分等）を供給することができ、餌料生物の培養も盛んなものとすることができる。また、この多機能型増殖礁Ａにおいても、台座１と育成部材２、魚礁部材５等による藻場増殖機能や魚礁機能が十分に発揮されるのは前述の通りである。また、餌料生物培養ブロック４１は籠状体４２に収容されているので、その取り扱いを極めて良好に簡便なものとすることもできる。
【００４７】
更に、図７に示した多機能型増殖礁Ａに加えて、増殖・生育させた稚エビや稚魚がその後もこの多機能型増殖礁Ａを住処とすることができるようにするためには、図８に示すように、オプション配置部１３に磯根資源増殖部材３を載置し、オプション配置部１３に載置したオプション保持部材６に餌料培養部材４及び魚礁部材５を保持させる。すなわち、同図に示す多機能型増殖礁Ａは、下段側から順番に、育成部材２を取り付けた台座１、磯根資源増殖部材３、餌料培養部材４、魚礁部材５を積み上げた格好となっている。
【００４８】
このようにすることで、この多機能型増殖礁Ａは、藻場増殖機能、磯根資源増殖機能、餌料培養魚礁機能、魚礁機能の全ての機能を併せ持つことになる。しかして、この多機能型増殖礁Ａにおいて、例えばイセエビの増殖・育成を行う場合は、稚エビの前身であるプランクトンが餌料生物培養ブロック４１の隙間に着床すると、そこでプランクトンは脱皮を繰り返して稚エビに成長し、豊富な餌を食べて更にイセエビへと成長するようになる。そして、成体となったイセエビは岩礁の亀裂や棚に潜む性質があり、特に海中林のある岩礁帯を好むので、上述のように餌料培養部材４の餌料生物培養ブロック４１の隙間で稚エビが餌料を食べて成長した後、育成部材２上に形成された藻場によって隠された磯根資源増殖部材３の通路３１が、イセエビにとって極めて好ましい住処となる。特にこのように配置された磯根資源培養部材３では、イセエビの餌が餌料生物培養ブロック４１や育成部材２上の海藻等から常に供給されるので、成長後のイセエビの増殖効果も更に高いものとなる。さらにこの多機能型増殖礁Ａでは、餌料培養部材４において稚魚から成長した魚に住処として、魚礁部材５や台座本体１１の下の空間を供給することができ、また、アワビやサザエ等の磯根資源にも磯根資源培養部材３の通路３１等を住処として供給することができる。この多機能型増殖礁Ａにおいても藻場増殖機能が十分に発揮されるのは勿論である。
【００４９】
なお、上記実施形態において、台座１及び育成部材２のみを多機能型増殖礁Ａとして使用する際には、その藻場増殖機能を十分に発揮させるために、図９に示すように、台座本体１１の上面における平坦なオプション取付部１３にも張出部１４と同様にボルト１５を埋め込んで、オプション取付部１３も育成部材取付部として機能させるようにすればよい。
【００５０】
その他、各部の具体的構成についても上記実施形態に限られるものではなく、本発明の趣旨を逸脱しない範囲で種々変形が可能である。
【００５１】
【発明の効果】
本発明は、以上説明したような形態で実施され、以下に記載されるような効果を奏する。
【００５２】
すなわち、本発明の多機能型増殖礁は、海底に沈設される水産関連機能を有する台座に設けたオプション配置部に、台座が有する機能とは別の水産関連機能を有する複数ののオプション部材を高さ位置を異ならせて配設するように構成しているため、台座やオプション部材が有している「藻場増殖礁」や「魚礁」のような単独の機能を発揮するだけでなく、各機能がもたらす相乗効果を発揮させることができる。
【００５３】
特に水産関連機能として、イセエビ、アワビ、サザエ等の磯根資源を増殖する機能と、魚を蝟集させる魚礁機能と、餌料生物や魚の餌となる餌料生物を培養するとともにそれら磯根資源や魚の培養を行う機能とを想定し、そのためのオプション部材として磯根資源増殖部材、魚礁部材、餌料培養部材を用意して、これらオプション部材のいずれか複数、ひいては全部を台座に対して異なる高さ位置に配置すれば、藻場の増殖をきっかけに、様々な機能を発揮することができる極めて有用な増殖礁を形成することが可能である。このように、多様な機能を選択的に奏する増殖礁はこれまでにはなく、本発明を利用することで、水産業を包括的に実施することが可能となる。
【００５４】
また、前記台座の一部を前記オプション配置部に配設したオプション部材よりも外側に延出させて形成した張出部に藻類を増殖し得る藻場増殖機能を付与することによって、藻場増殖を中心とした様々な機能が発揮されることになり、オプション部材の周囲や内部に住み着く磯根資源や幼魚等の隠れ場所としての良好な環境の形成、魚介類の増殖、減少しつつある藻場の回復などの種々の有益な効果が奏される。
【００５５】
特に、台座には中間育成藻を着床させた育成部材を取り付けることで、その藻場増殖機能を強化することができるようになる。
【図面の簡単な説明】
【図１】本発明の一実施形態における多機能型増殖礁に備えられる各部材を分解して示す斜視図。
【図２】同実施形態において用いられる育成部材を示す斜視図。
【図３】同実施形態において用いられる育成部材を使用した藻類の中間育成方法を概略的に示す図。
【図４】同実施形態の使用状態の一つを示す斜視図。
【図５】同実施形態の使用状態の一つを示す斜視図。
【図６】同実施形態の使用状態の一つを示す斜視図。
【図７】同実施形態の使用状態の一つを示す斜視図。
【図８】同実施形態の使用状態の一つを示す斜視図。
【図９】同実施形態の台座の変形例を示す斜視図。
【符号の説明】
Ａ…多機能型増殖礁
１…台座
２…育成部材
３…磯根資源増殖部材
４…餌料培養部材
５…魚礁部材
６…オプション保持部材
１１…台座本体
１２…脚部
１３…オプション保持部
１５、５１…ボルト（育成部材取付部）
３１…通路
４１…餌料生物培養ブロック
４２…籠状部
６３…第１の保持部
６４…第２の保持部
３１１…第１のスリット
３１２…第２のスリット
【図１】
0003540771.tif 000002
【図２】
0003540771.tif 000003
【図３】
0003540771.tif 000004
【図４】
0003540771.tif 000005
【図５】
0003540771.tif 000006
【図６】
0003540771.tif 000007
【図７】
0003540771.tif 000008
【図８】
0003540771.tif 000009
【図９】
0003540771.tif 000010